(57)【特許請求の範囲】
【請求項１】
記録紙カセットに収容された記録紙を１枚ずつ送り出すローラと、そのローラを有する回転軸と、その回転軸にローラを着脱可能に固着させる固着手段と、その回転軸を回転させるモータと、そのモータを駆動させる操作手段と、その操作手段からの操作に基づいて、モータを駆動させてローラを回転させる制御手段と、ジャムを解除するための側面カバーとを備え、前記制御手段は、前記操作手段からの操作に基づいて、前記モータを駆動させて前記固着手段が前記側面カバーと対向する位置まで前記ローラを回転させる記録装置。
【請求項２】
請求項１に記載の記録装置において、前記制御手段は、前記操作手段からの操作に基づいて、前記モータを駆動させて前記ローラを所定角度ずつ回転させる記録装置。
【発明の詳細な説明】
【０００１】
【発明の属する技術分野】
本発明は、画像を記録紙に記録する記録装置に関し、より詳しくは記録紙カセット内に収容された記録紙を１枚ずつ送り出す半月ローラを備えた記録装置に関するものである。
【０００２】
【従来の技術】
近年、記録装置においては、電子写真方式を用いて画像を記録紙に記録する方式が多用されている。この電子写真方式の記録装置は、一般に感光体の表面を一様に帯電させる帯電器、感光体の表面に光を照射して静電潜像を形成する露光器、その静電潜像にトナーケースから供給されるトナーを付着させてトナー画像を形成する現像器、そのトナー画像を記録紙に転写する転写器、及び転写されたトナー画像を記録紙に定着させる加熱定着器を備えている。
【０００３】
また、記録装置の下部には、所定サイズの記録紙を積層状態で収容した記録紙カセットが備えられている。そして、記録動作の開始に基づいて、記録紙を供給する半月ローラが回転駆動されると、半月ローラは記録紙カセット内に収容された積層状態の記録紙が１枚ずつ転写器に向かって送り出す。
【０００４】
【発明が解決しようとする課題】
ところで、記録紙を供給する半月ローラは、画像を記録するための上記各機器が収容される筐体内に設けられ、記録紙カセットとは、物理的に独立した構成である。このため、半月ローラを交換する場合には、半月ローラよりも上部に配設されている機器、例えば原稿を読み取る読取部や読み取った画データを記録紙に記録する記録部等を、一旦取り外さなければならなかった。また、半月ローラを回転軸にネジ止めする構成にあっては、回転軸からネジを取り外した後、半月ローラを取り外さなければならず、半月ローラの交換は容易ではなかった。
【０００５】
本発明は、このような問題点に着目してなされたものであって、その目的は、記録紙カセットに収容された記録紙を１枚ずつ送り出す半月ローラを容易に交換することが可能な記録装置を提供することにある。
【０００６】
【課題を解決するための手段】
上記の目的を達成するために、請求項１に記載の発明では、記録紙カセットに収容された記録紙を１枚ずつ送り出すローラと、そのローラを有する回転軸と、その回転軸にローラを着脱可能に固着させる固着手段と、その回転軸を回転させるモータと、そのモータを駆動させる操作手段と、その操作手段からの操作に基づいて、モータを駆動させてローラを回転させる制御手段と、ジャムを解除するための側面カバーとを備え、前記制御手段は、前記操作手段からの操作に基づいて、前記モータを駆動させて前記固着手段が前記側面カバーと対向する位置まで前記ローラを回転させる。
【０００８】
請求項２に記載の発明では、請求項１に記載の記録装置において、制御手段は、操作手段からの操作に基づいて、モータを駆動させてローラを所定角度ずつ回転させる。
【０００９】
【発明の実施の形態】
以下に、本発明に係る記録装置を複写機能付きファクシミリ装置（以下、ファクシミリ装置という）に具体化した一実施形態を図面を用いて説明する。
【００１０】
図１に示すように、ファクシミリ装置１は、ＭＰＵ１１、ＲＯＭ１２、ＲＡＭ１３、読取部１４、記録部１５、操作部１６、表示部１７、画像メモリ１８、コーデック１９、モデム２０及びＮＣＵ２１から構成されるとともに、各部１１〜２１がバス２２を介してそれぞれ接続されている。
【００１１】
ＭＰＵ１１は、ファクシミリ装置１を構成する各部を制御する。ＲＯＭ１２は、ファクシミリ装置１を制御するためのプログラムを記憶する。ＲＡＭ１３は、ファクシミリ装置１に関する各種情報を一時的に記憶する。
【００１２】
読取部１４は、原稿上の画像データを読み取って、白黒２値のイメージデータを出力する。記録部１５は、電子写真方式のプリンタよりなり、受信画データの記録動作やコピー動作において、受信された画データや読取部１４にて読み取られた原稿の画データを記録紙上に記録する。なお、記録部１５の詳細については後述する。
【００１３】
操作部１６は、原稿の読み取り動作等を開始させるためのスタートキー１６ａ、ファクシミリ装置１の動作を停止させるためのストップキー１６ｂ、電話番号等を入力するためのテンキー（＊，＃キーを含む）、短縮番号の登録、短縮番号から発信するするための短縮キー、「通信（ＦＡＸ）」動作又は「コピー」動作を設定するための通信／コピーキー等の各種操作キーを備えている。ＬＣＤ等よりなる表示部１７は、ファクシミリ装置１の動作状態等を示す各種情報の表示を行う。また、表示部１７は、所定のブザー音を鳴動するスピーカ１７ａを備えている。
【００１４】
画像メモリ１８は、受信画データや読取部１４で読み取られて２値化され、コーデック１９で圧縮符号化された画データを一時的に記憶する。コーデック１９は、読取部１４にて読み取られた画データを送信のためにＭＨ，ＭＲ，ＭＭＲ，ＪＢＩＧ方式等に従って符号化（エンコード）する。また、コーデック１９は、受信画データを復号（デコード）する。
【００１５】
モデム２０は、ＩＴＵ−Ｔ勧告Ｔ．３０に従ったファクシミリ伝送制御手順に基づいて、Ｖ．１７，Ｖ．２７ｔｅｒ，Ｖ．２９等のいずれかに従った送受信データの変調及び復調を行う。ＮＣＵ２１は、電話回線Ｌとの接続を制御するとともに、相手先の電話番号等に対応したダイヤル信号の送出及び着信を検出するための機能を備えている。
【００１６】
次に、記録部１５について、その具体的な構成を記録プロセスに従って詳細に説明する。
図１に示すように、感光体としての感光体ドラム３０は、回転可能に軸支され、その外周面には光導電膜３１が形成されている。
【００１７】
帯電器４０は、導電性刷毛体を植設したブラシローラで構成され、感光体ドラム３０の光導電膜３１を所定電位に一様帯電させる。露光器５０は、ＬＥＤアレイ５１で構成され、コーデック１９で２値化されたデータに基づいて、感光体ドラム３０の光導電膜３１に光を照射して静電潜像を形成する。
【００１８】
現像器ユニット６０は、トナーを収容するトナーケース６１と、そのトナーケース６１内の下部に配置されて所定電圧が印加される供給ローラ６２と、その供給ローラ６２と感光体ドラム３０との間に位置するようにトナーケース６１の下端開口部に配置されて所定電圧が印加される現像ローラ６３とを備えている。これら供給ローラ６２及び現像ローラ６３によって、トナーケース６１から搬送され、且つ所定電位が付与されたトナーは、その付与された電位と感光体ドラム３０上に形成された上記静電潜像の電位との差によって、同静電潜像に選択的に付着される。この静電潜像に付着したトナーによって、感光体ドラム３０上にトナー画像が形成される。トナーケース６１内には、撹拌体６４が回転可能に軸支されている。この撹拌体６４の回転により、トナーケース６１内のトナーが常に撹拌されて、トナーが一様な密度に保たれる。
【００１９】
記録紙カセット７０には、所定サイズの記録紙７１が積層状態で収容されている。ソレノイド７２は、モータ７３の回転駆動力を半月ローラ７４に接断する。半月ローラ７４は、回転軸７５に固着され、記録紙カセット７０に収容されている最上部の記録紙７１を１枚ずつ送り出す。そして、送り出された記録紙７１は、感光体ドラム３０に向かって移送される。第１記録紙センサ８１は、現像器ユニット６０の直前の所定位置まで移送されてきた記録紙７１を検出する。なお、一点鎖線Ｐは、記録紙７１の移送経路を示している。
【００２０】
記録紙カセット７０及び半月ローラ７４の側方には、半月ローラ７４でのピックアップ時に記録紙７１のジャムが発生する場合があることを想定して、そのジャムを解除するための側面カバー１５ａが設けられている。
【００２１】
転写器９０は、感光体ドラム３０の下部に配設され、所定電位に制御される。そして、転写器９０は、その所定電位とトナー画像の電位との差に基づいて、感光体ドラム３０上のトナー画像を記録紙７１上に転写する。
【００２２】
メモリ除去ブラシ９１は、導電性ブラシよりなり、転写後の感光体ドラム３０上に残留するトナーを掻き乱して、感光体ドラム３０上に一様に分散させる。
加熱定着器１００は、感光体ドラム３０の記録紙送り出し側に配設され、記録紙７１が加熱定着器１００の加熱ローラ１０１と加圧ローラ１０２との間に送り込まれることに基づいて、記録紙７１上のトナー画像を加熱定着する。
【００２３】
なお、本実施形態においては、以上説明した感光体ドラム３０への帯電、露光、現像、及び記録紙７１への転写、加熱定着という一連のプロセスが一単位の記録プロセスとなっている。
【００２４】
第２記録紙センサ８２は、加熱定着器１００の記録紙送り出し側に配設され、記録紙７１が加熱定着器１００を通過したことを検出する。ＭＰＵ１１は、記録紙７１が第１記録紙センサ８１で検出されてから、所定時間内に記録紙７１が第２記録紙センサ８２で検出されない場合は、記録プロセス内でジャムが発生したと判断する。
【００２５】
制御部１１０は、ＭＰＵ１１からの制御信号に基づいて、記録部１５の動作を制御する。すなわち、ソレノイド７２には、制御部１１０からモータ７３と半月ローラ７４とを接断するための制御信号が送出される。一方、第１及び第２記録紙センサ８１，８２から制御部１１０には、記録紙７１の到達を示す検出信号が送出される。
【００２６】
次に、記録紙カセット７０と半月ローラ７４との関係について、図２を用いて説明する。
図２に示すように、記録紙カセット７０の上部には、回転軸７５が配設されている。この回転軸７５の両端は、筐体（図示略）に固着された軸受７６に軸支されている。回転軸７５には、一対の半月ローラ７４と振動防止部材７７とが配設されている。すなわち、一対の半月ローラ７４は、ネジ７５ａで回転軸７５に固着されている。この半月ローラ７４は、記録部１５が動作していない場合には、図１に実線で示すように上向きに位置する（待機位置）。一方、操作部１６から操作（例えばスタートキー１６ａの操作によるコピー動作）に基づいて、記録部１５が動作すると、モータ７３が駆動されて、半月ローラ７４が図２に示す矢印方向に回転する。その結果、記録紙カセット７０に収容されている最上部の記録紙７１を１枚ずつ送り出す。
【００２７】
振動防止部材７７は、回転軸７５のほぼ中央に位置し、筐体（図示略）に固着されている。すなわち、振動防止部材７７は、回転軸７５の軸受機能を備え、回転軸７５の回転に伴う振動を防止している。回転軸７５の一端側には、半月ローラ７４を回転させるための回転機構Ｒが配設されている。
【００２８】
次に、半月ローラ７４の回転機構Ｒについて、図３を用いて説明する。
図３に示すように、モータ７３の回転軸７３ａには、駆動ギヤ７８が固着されている。一方、半月ローラ７４が固着された回転軸７５には、従動ギヤ７９が固着されている。この従動ギヤ７９の一部には、歯が形成されていない。すなわち、従動ギヤ７９には、駆動ギヤ７８と噛合しない切欠部７９ａが形成されている。また、従動ギヤ７９には、略円盤状の突出部７９ｂが形成され、その突出部７９ｂには係合凹部７９ｃが形成されている。この係合凹部７９ｃには、ソレノイド７２の可動片７２ａが係合する。すなわち、可動片７２ａは、スプリング７２ｂの付勢力によって係合凹部７９ｃに常時係合している。そして、ＭＰＵ１１から制御部１１０を介した制御信号に基づいて、可動片７２ａと係合凹部７９ｃとの係合を解除する。さらに、従動ギヤ７９には、係止突起７９ｄが形成され、その係止突起７９ｄにはスプリング８０の一端が係止されている。一方、このスプリング８０の他端は、筐体（図示略）の一部に係止されている。すなわち、従動ギヤ７９の係止突起７９ｄは、スプリング８０の付勢力によって常にモータ７３側に付勢されている。
【００２９】
このように構成された半月ローラ７４の回転機構Ｒにおいて、ＭＰＵ１１から制御部１１０を介した制御信号に基づいて、可動片７２ａと係合凹部７９ｃとの係合が解除されると、スプリング８０の付勢力によって駆動ギヤ７８と従動ギヤ７９とが噛合する。そして、モータ７３の回転駆動力によって、駆動ギヤ７８が回転すると、スプリング８０の付勢力に抗しながら従動ギヤ７９が回転する。その結果、半月ローラ７４が回転して、記録紙カセット７０に収容されている最上部の記録紙７１が１枚ずつ送り出される。そして、モータ７３の回転駆動力によって、さらに駆動ギヤ７８が回転すると、スプリング８０の付勢力に抗しながら従動ギヤ７９が回転する。その結果、やがて可動片７２ａと係合凹部７９ｃとが係合して待機位置となり、半月ローラ７４の回転が停止される。
【００３０】
次に、スタートキー１６ａからの操作に基づいて、半月ローラ７４を回転させた後、半月ローラ７４を交換するときの動作について、図４に示すフローチャートを用いて説明する。なお、この制御は、ＲＯＭ１２に記憶されたプログラムに基づき、ＭＰＵ１１により実行される。
【００３１】
さて、側面カバー１５ａが開放されるとともに、ファクシミリ装置１から記録紙カセット７０が引き出された後、操作部１６からの操作に基づいて、サービスモードに設定されると、ステップＳ１においては、キー操作が行われたか否かが判断される。そして、キー操作が行われた場合は、ステップＳ２に移行する。一方、キー操作がない場合は、キー操作が行われるまで待機する。なお、サービスモードに設定されてから所定時間（例えば３０秒）が経過するまでに、キー操作が行われない場合は、警告音としてスピーカ１７ａからナックブザー音が鳴動される。
【００３２】
ステップＳ２においては、スタートキー１６ａが操作されたか否かが判断される。スタートキー１６ａが操作された場合は、ステップＳ３に移行する。一方、スタートキー１６ａが操作されない場合は、ステップＳ６に移行する。
【００３３】
ステップＳ３においては、前記ステップＳ２におけるスタートキー１６ａの操作に基づいて、可動片７２ａと係合凹部７９ｃとの係合が解除される。すなわち、スタートキー１６ａの操作に基づいて、ＭＰＵ１１から制御部１１０を介した制御信号が送出されると、ソレノイド７２に通電される。その結果、ソレノイド７２の電磁力により、可動片７２ａがソレノイド７２側に引き寄せられて、可動片７２ａと係合凹部７９ｃとの係合が解除される。このとき、スプリング８０の付勢力によって駆動ギヤ７８と従動ギヤ７９とが噛合する。
【００３４】
ステップＳ４においては、所定時間（例えば５０〔ｍｓ〕）が経過するまで、モータ７３が駆動される。その結果、半月ローラ７４が所定角度（約１０度）回転される。
【００３５】
ステップＳ５においては、ソレノイド７２への通電が停止される。その結果、可動片７２ａがスプリング７２ｂによって従動ギヤ７９側へ付勢されて、可動片７２ａは突出部７９ｂの外周面に当接する。
【００３６】
そして、このようにスタートキー１６ａの操作に基づいて、所定時間だけモータ７３を駆動させることにより、半月ローラ７４を徐々に回転させる。すなわち、半月ローラ７４を回転軸７５に固着したネジ７５ａが、側面カバー１５ａと対向する位置、つまり開放した側面カバー１５ａから臨める位置になるまで、半月ローラ７４を回転させる（Ｓ１〜Ｓ５）。
【００３７】
そして、開放した側面カバー１５ａからネジ７５ａを臨める位置になると、開放した側面カバー１５ａからドライバ等の工具を用いて回転軸７５からネジ７５ａを取り外す。続いて、摩耗等した半月ローラ７４を回転軸７５から取り外した後、新しい半月ローラ７４を回転軸７５に取り付ける。そして、開放した側面カバー１５ａからドライバ等の工具を用いて半月ローラ７４をネジ７５ａで回転軸７５に固着すると、半月ローラ７４の交換が終了する。
【００３８】
前記ステップＳ２においてスタートキー１６ａが操作されない場合は、ステップＳ６において、ストップキー１６ｂが操作されたか否かが判断される。ストップキー１６ｂが操作された場合は、ステップＳ７に移行する。一方、ストップキー１６ｂが操作されない場合は、ステップＳ８に移行する。
【００３９】
ステップＳ７においては、半月ローラ７４が待機位置に戻されて、この処理を終了する。すなわち、モータ７３が駆動されて、スプリング８０の付勢力に抗しながら、可動片７２ａと係合凹部７９ｃとが係合する待機位置まで戻される。つまり、半月ローラ７４の交換が終了したため、次の記録動作、つまり次の記録紙７１のピックアップに備えて、半月ローラ７４を待機位置に戻しているのである。
【００４０】
ステップＳ８においては、スタートキー１６ａ又はストップキー１６ｂの操作ではないため、スピーカ１７ａからナックブザー音が鳴動される。すなわち、スタートキー１６ａ又はストップキー１６ｂ以外のキーが操作された旨を示すためにナックブザー音をスピーカ１７ａから鳴動させているのである。
【００４１】
以上、詳述したように本実施形態によれば、次のような作用、効果を得ることができる。
（１）スタートキー１６ａの操作回数に基づいて、所定時間だけモータ７３を駆動させることにより、半月ローラ７４を徐々に回転させている。すなわち、半月ローラ７４を回転軸７５に固着したネジ７５ａが、側面カバー１５ａと対向する位置、つまり開放した側面カバー１５ａから臨める位置になるまで、半月ローラ７４を回転させている（Ｓ１〜Ｓ５）。このため、開放した側面カバー１５ａからドライバ等の工具を用いて回転軸７５からネジ７５ａを取り外して、摩耗等した半月ローラ７４を新しい半月ローラ７４に交換することができる。従って、記録紙カセット７０に収容された記録紙７１を１枚ずつ送り出す半月ローラ７４を容易に交換することができる。
【００４２】
（２）スタートキー１６ａの操作回数に基づいて、半月ローラ７４が所定角度ずつ回転されている。このため、開放した側面カバー１５ａから半月ローラ７４を臨みながら、スタートキー１６ａを操作することにより、半月ローラ７４を徐々に回転させることができる。従って、半月ローラ７４を回転軸７５に固着したネジ７５ａを、確実に側面カバー１５ａと対向する位置まで案内することができる。
【００４３】
（３）ストップキー１６ｂが操作されると、半月ローラ７４が待機位置に戻されている。すなわち、モータ７３が駆動されて、可動片７２ａと係合凹部７９ｃとが係合する待機位置まで戻されている。このため、次の記録紙７１のピックアップに備えることができる。従って、半月ローラ７４の交換が終了した後、素早くコピー等の記録動作を行うことができる。
【００４４】
（４）記録紙カセット７０の側面には、半月ローラ７４でのピックアップ時に記録紙７１のジャムが発生する場合があることを想定して、そのジャムを解除するための側面カバー１５ａが設けられている。そして、この側面カバー１５ａが半月ローラ７４の交換のためのカバーとして兼用されている。従って、半月ローラ７４の交換するためのカバー等を設ける必要はない。
【００４５】
（５）サービスモードにおいて、スタートキー１６ａ又はストップキー１６ｂ以外のキーが操作された場合には、ナックブザー音をスピーカ１７ａで鳴動させている。このため、サービスモードにおいて使用可能なキーが間接的に報知される。従って、サービスモードに設定されている旨を報知することもできる。
【００４６】
（６）従動ギヤ７９には、駆動ギヤ７８と噛合しない切欠部７９ａが形成されている。このため、オプションカセット（図示略）が増設されても、記録紙カセット７０及びオプションカセットに収容されている記録紙７１のピックアップとを１つのモータ７３で兼任させることができる。すなわち、仮にオプションカセットが選択された場合であっても、切欠部７９ａで駆動ギヤ７８が空転するため、従動ギヤ７９が回転することはない。一方、オプションカセットの半月ローラ７４には、モータ７３からの回転駆動力を複数のギヤ等（図示略）を介して伝達することができる。従って、オプションカセットが増設された場合であっても、１つのモータ７３を用いて記録紙７１のピックアップを行うことができる。
【００４７】
なお、本実施形態は、次のように変更して具体化することも可能である。
・前記実施形態では、スタートキー１６ａの操作に基づいて、半月ローラ７４を回転軸７５に固着したネジ７５ａを側面カバー１５ａと対向する位置まで回転させて、ネジ７５ａを取り外して、半月ローラ７４を交換する構成であったが、これに代えて、半月ローラ７４を回転軸７５に固着したネジ７５ａを下方に向く位置、つまり記録紙カセット７０と対向する位置まで回転させて、ネジ７５ａを取り外して、半月ローラ７４を交換する構成にしても良い。
【００４８】
・前記実施形態では、スタートキー１６ａの操作に基づいて、半月ローラ７４が一定の方向に回転する構成であったが、所定のキーの操作に基づいて、半月ローラ７４を双方向に回転させる構成にしても良い。具体的には、例えばテンキー「１」の操作で正回転方向に、テンキー「０」の操作で逆回転方向にそれぞれ半月ローラ７４を回転させる構成にしても良い。このように構成すれば、万一半月ローラ７４を回転軸７５に固着したネジ７５ａが、側面カバー１５ａと対向する位置を通過しても、逆回転させることにより素早く対応することができる。
【００４９】
・オプションカセットが増設した場合であって、そのオプションカセットにも半月ローラ７４の回転機構Ｒが存在する場合には、所定のキー操作に基づいて、記録紙カセット７０又はオプションカセットのいずれかを選択可能な構成にしても良い。
【００５０】
・前記実施実施形態では、スタートキー１６ａの操作に基づいて、ソレノイド７２の電磁力により、可動片７２ａと係合凹部７９ｃとの係合が解除されて、半月ローラ７４が所定角度だけ回転する構成であるが、ソレノイド７２への通電が停止されても、可動片７２ａは突出部７９ｂの外周面に当接する構成である。このため、可動片７２ａと係合凹部７９ｃとの係合は、一度だけ解除されるだけで良い。従って、２回目以降のスタートキー１６ａの操作では、ソレノイド７２に通電を行わない構成にしても良い。このように構成すれば、２回目以降のスタートキー１６ａの操作においては、ソレノイド７２への通電を停止できるため、半月ローラ７４の交換時の消費電力を抑制することができる。
【００５１】
・前記実施形態では、開放した側面カバー１５ａから半月ローラ７４を臨みながらスタートキー１６ａの操作回数によって半月ローラ７４を固着しているネジ７５ａが側面カバー１５ａと対向する位置になるようにしていたが、これに代えて、スタートキー１６ａの１回操作に基づいて、所定時間（数秒間）が経過するまでモータ７３を駆動させて、自動的に半月ローラ７４を固着しているネジ７５ａが側面カバー１５ａと対向する位置になるように構成しても良い。このように構成すれば、１度だけスタートキー１６ａを操作した後、素早く半月ローラ７４の交換作業に取りかかることができるため、半月ローラ７４の交換作業の効率を向上させることができる。
【００５２】
・半月ローラ７４を回転軸７５にネジ７５ａで固着する構成以外の構成、例えば半月ローラ７４の位置決めピンを回転軸７５の透孔に挿入して、半月ローラ７４を回転軸７５に対して位置決め固定する構成にも、前記実施形態を適用しても良い。
【００５３】
さらに、上記実施形態より把握される技術的思想について、以下にそれらの効果と共に記載する。
〔１〕操作手段からの操作に基づいて、モータを駆動させてローラを所定の待機位置に戻す記録装置。このように構成すれば、ローラの交換が終了した後、素早くコピー等の記録動作を行うことができる。
【００５４】
〔２〕ローラの回転を待機位置で規制する規制手段を備え、制御手段は、操作手段からの操作に基づいて、規制手段を解除した後、モータを駆動させてローラを回転させる記録装置。このように構成すれば、規制手段が解除された後、モータが駆動されて、ローラが回転されるため、ローラの待機位置を規制手段で位置決めすることができる。
【００５５】
〔３〕前記〔２〕に記載の記録装置において、制御手段は、初回の操作手段からの操作時のみ、規制手段を解除する記録装置。このように構成すれば、２回目以降の操作があっても、規制手段を解除する必要がない。従って、例えば規制手段が電気的に構成されている場合には、２回目以降の操作に基づく消費電力を抑制することができる。
【００５６】
【発明の効果】
本発明は、以上のように構成されているため、次のような効果を奏する。
請求項１，２に記載の発明によれば、記録紙カセットに収容された記録紙を１枚ずつ送り出すローラを容易に交換することができる。
【図面の簡単な説明】
【図１】ファクシミリ装置の構成を示すブロック図。
【図２】記録紙カセットと半月ローラとの関係を示す斜視図。
【図３】半月ローラの回転機構を示す説明図。
【図４】半月ローラを回転させた後、半月ローラを交換するときの動作を示すフローチャート。
【符号の説明】
１…記録装置としての複写機能付きファクシミリ装置、１１…制御手段を構成するＭＰＵ、１２…制御手段を構成するＲＯＭ、１３…制御手段を構成するＲＡＭ、１５ａ…側面カバー、１６ａ…操作手段を構成するスタートキー、１６ｂ…操作手段を構成するストップキー、７０…記録紙カセット、７１…記録紙、７２…規制手段を構成するソレノイド、７２ａ…規制手段を構成する可動片、７３…モータ、７４…ローラとしての半月ローラ、７５…回転軸、７５ａ…固着手段としてのネジ、７９ｃ…規制手段を構成する係合凹部、Ｒ…回転機構。
【図１】
0003654228.tif 000002
【図２】
0003654228.tif 000003
【図３】
0003654228.tif 000004
【図４】
0003654228.tif 000005